(57)【要約】【課題】出荷時の検査工程において、正確な目標電力値に設定できるようにする。【解決手段】負荷部品（誘導加熱コイル１４）と、複数のスイッチ２８〜３４からなる入力手段と、プログラムおよび設定データを記憶した第１記憶媒体（ＲＯＭ３７）と、マイコン３６とを備えた家庭用電気製品において、設定データは、負荷部品を動作させる基準電力値を含み、その基準電力値を増減するために、少なくとも第１補正データおよび第２補正データを、書換可能な第２記憶媒体（ＥＥＰＲＯＭ４０）に記憶し、かつ、第１補正データを電子的な信号により段階的に変更する第１，第２出力可変手段（マイコン３６）を設けえる。また、出力変更手段による補正データの変更幅を調整する変更幅調整手段を設ける。【選択図】図８
2006181260.tif 000002
【特許請求の範囲】
【請求項１】
外装体の内部に配設した負荷部品と、
前記外装体の表面に配設した複数のスイッチからなる入力手段と、
前記負荷部品および表示手段を制御するためのプログラム、および、該プログラムで使用する複数の設定データを記憶した第１記憶媒体と、
前記入力手段による選択に応じ、前記第１記憶媒体に記憶されたプログラムおよび設定データに基づいて前記負荷部品および表示手段を制御するマイコンとを備えた家庭用電気製品において、
前記設定データは、前記負荷部品を動作させる基準電力値を含み、その基準電力値を増減するために、少なくとも第１補正データおよび第２補正データを、書換可能な第２記憶媒体に記憶し、かつ、
前記入力手段を構成する所定のスイッチの操作により、前記第１補正データを電子的な信号により段階的に変更する第１出力可変手段と、他の所定のスイッチの操作により、前記第２補正データを電子的な信号により段階的に変更する第２出力可変手段とを設けたことを特徴とする家庭用電気製品。
【請求項２】
外装体の内部に配設した負荷部品と、
前記外装体の表面に配設した複数のスイッチからなる入力手段と、
前記負荷部品および表示手段を制御するためのプログラム、および、該プログラムで使用する複数の設定データを記憶した第１記憶媒体と、
前記入力手段による選択に応じ、前記第１記憶媒体に記憶されたプログラムおよび設定データに基づいて前記負荷部品および表示手段を制御するマイコンとを備えた家庭用電気製品において、
前記設定データは、前記負荷部品を動作させる基準電力値を含み、その基準電力値を増減するための補正データを書換可能な第２記憶媒体に記憶し、かつ、
前記入力手段を構成する所定のスイッチの操作により、前記補正データを電子的な信号により段階的に変更する出力変更手段と、該出力変更手段による前記補正データの変更幅を調整する変更幅調整手段とを設けたことを特徴とする家庭用電気製品。
【発明の詳細な説明】
【技術分野】
【０００１】
本発明は、炊飯器、電気ポット、空気清浄機、浄水器、加湿器等の家庭用電気製品に関するものである。
【背景技術】
【０００２】
この種の家庭用電気製品は、回路部品の特性や配置等のバラツキによる各家庭用電気製品の性能のバラツキを安定させたり、家庭用電気製品の機種を変更するために、製品完成後に種々の調整作業が行われる。例えば、前記回路部品の特性や配置等のバラツキにより、加熱手段等の構成部品へ出力される電力にバラツキが生じる。そして、この電力値の補正方法としては、専用の電力測定器を用い、その測定値が予め設定された設定値になるように、回路に実装した可変抵抗を手動で調整していた。
【０００３】
一方、近年では、前記可変抵抗に代えて電子的に電力値を調整可能なマイクロコンピュータ（以下「マイコン」と略する。）が普及されている。このマイコンは、従来のマイコンと比較して高価であるが、回路基板に可変抵抗を実装する必要がないうえ、誘導加熱方式の炊飯器においては、誘導加熱コイルをスイッチングさせるＩＧＢＴの駆動用発振回路も必要ないため、製品のトータルコストを低減できる。
【０００４】
この種のマイコンを搭載した本発明の家庭用電気製品に関連する先行技術文献情報としては次のものがある。
【０００５】
【特許文献１】特開２０００−７０１３１号公報
【特許文献２】特開２００４−９５２２８号公報
【０００６】
これらの特許文献では、外装体に配設した入力手段を構成する所定のスイッチを操作することにより、電力の調整処理に遷移する。そして、記憶手段に予め設定した基準電力値を設定した後、実際の電力値に基づいてスイッチの操作により動作電力値を増減させて変更（設定）できるように構成している。なお、前記電力値を増減させる変更幅（分解能）は、補正データとして記憶手段に予め記憶されている。
【０００７】
しかしながら、マイコンによるデータの変更方法は、無段階で変更できるものではなく、予め設定した変更幅で、かつ、予め設定された段階（例えば１５段階）のみである。そのため、回路部品の特性のバラツキによって、設計時の目標電力値を得ることができない製品がある。
【０００８】
なお、前記基準電力値を含む予め記憶される設定データは、製品の設計により算出可能なデータであり、目標値である。そして、このデータを仮設定データとして記憶させた試験機を製造して試運転し、実際の電力値などを測定して、その測定値に基づいて決定した設定データを記憶させた場合には、前記問題が生じることを大幅に抑制できる。しかし、この場合には、製品の開発期間が長くなるため、計算上の目標値を設定データとして量産し、製造後に設定データを補正することが望ましい。
【０００９】
また、１回（段階）の操作による変更幅を大きくすれば、目標電力値が得られないという問題が生じることを抑制できるが、この場合には正確な目標電力値に設定することができない。一方、変更幅を小さくすると、正確な目標電力値に設定することができるが、前記問題が顕著に現れる。そのため、変更幅は、設計者の長年の経験により最適と思われる数値に設定していた。その結果、製品毎に正確な目標電力値は得ることができないうえ、目標電力値を得ることができない製品も希に発生していた。
【発明の開示】
【発明が解決しようとする課題】
【００１０】
本発明では、出荷時の検査工程において、正確な目標電力値に設定できる家庭用電気製品を提供することを課題とするものである。
【課題を解決するための手段】
【００１１】
前記課題を解決するため、本発明の第１の家庭用電気製品は、外装体の内部に配設した負荷部品と、前記外装体の表面に配設した複数のスイッチからなる入力手段と、前記負荷部品および表示手段を制御するためのプログラム、および、該プログラムで使用する複数の設定データを記憶した第１記憶媒体と、前記入力手段による選択に応じ、前記第１記憶媒体に記憶されたプログラムおよび設定データに基づいて前記負荷部品および表示手段を制御するマイコンとを備えた家庭用電気製品において、前記設定データは、前記負荷部品を動作させる基準電力値を含み、その基準電力値を増減するために、少なくとも第１補正データおよび第２補正データを、書換可能な第２記憶媒体に記憶し、かつ、前記入力手段を構成する所定のスイッチの操作により、前記第１補正データを電子的な信号により段階的に変更する第１出力可変手段と、他の所定のスイッチの操作により、前記第２補正データを電子的な信号により段階的に変更する第２出力可変手段とを設けた構成としている。
【００１２】
また、本発明の第２の家庭用電気製品は、外装体の内部に配設した負荷部品と、前記外装体の表面に配設した複数のスイッチからなる入力手段と、前記負荷部品および表示手段を制御するためのプログラム、および、該プログラムで使用する複数の設定データを記憶した第１記憶媒体と、前記入力手段による選択に応じ、前記第１記憶媒体に記憶されたプログラムおよび設定データに基づいて前記負荷部品および表示手段を制御するマイコンとを備えた家庭用電気製品において、前記設定データは、前記負荷部品を動作させる基準電力値を含み、その基準電力値を増減するための補正データを書換可能な第２記憶媒体に記憶し、かつ、前記入力手段を構成する所定のスイッチの操作により、前記補正データを電子的な信号により段階的に変更する出力変更手段と、該出力変更手段による前記補正データの変更幅を調整する変更幅調整手段とを設けた構成としている。
【発明の効果】
【００１３】
本発明の第１の家庭用電気製品では、予め設定した基準電力値を変更するために、第１補正データおよび第２補正データを第２記憶媒体に記憶させるとともに、これらの補正データを段階的に変更する出力可変手段を設けているため、基準電力値を変更可能な範囲を広げることが可能になる。そのため、電気製品の実際の電力値を正確に目標電力値に設定することができる。
【００１４】
また、第２の家庭用電気製品では、予め設定した基準電力値を変更するために、補正データを第２記憶媒体に記憶させ、その補正データを段階的に変更する出力可変手段を設けるとともに、該出力変更手段による前記補正データの変更幅を調整する変更幅調整手段を設けているため、基準電力値を変更可能な範囲を広げることが可能になるうえ、微調整をも可能とすることができる。そのため、電気製品の実際の電力値を迅速かつ正確に目標電力値に設定することができる。
【発明を実施するための最良の形態】
【００１５】
以下、本発明の実施の形態を図面に従って説明する。
【００１６】
図１は、本発明の実施形態に係る家庭用電気製品である炊飯器１０を示す。この炊飯器１０は、大略、被加熱物を収容する容器である内鍋１１と、該内鍋１１を収容する非導電性材料からなる保護枠１２ａを備えた炊飯器本体１２と、該炊飯器本体１２に回動可能に配設され前記内鍋１１の上端開口を密閉する蓋体１３とを備えている。そして、炊飯器本体１２の外装体内には、負荷部品である誘導加熱コイル１４と内鍋用温度センサ１５とが配設されている。また、蓋体１３の外装体内には、負荷部品である蓋ヒータ１６と蓋用温度センサ１７とが配設されている。
【００１７】
また、前記炊飯器本体１２の正面には、図２に示す操作パネル１８が配設されている。この操作パネル１８の中央には、後述するマイコン３６が内蔵したドライバによって表示するセグメント表示方式の液晶表示部１９が配設されている。この液晶表示部１９には、時計表示２０、その時計表示２０の表示が現在時刻であることを示す現在表示２１、午前表示２２および午後表示２３、前記時計表示２０の表示が残り炊飯時間であることを示す分表示２４および時間表示２５、液晶表示部１９の回りに設けた炊飯メニュー表示に対応する△印表示２６、および、予約炊飯設定中であることを示す予約表示２７を備えている。また、この予約機能は２種の設定を記憶可能としており、その予約ナンバーである「１」表示部２７ａと「２」表示部２７ｂとを備えている。
【００１８】
また、前記液晶表示部１９の周囲には、入力手段を構成する複数のスイッチ２８〜３４が配設されている。具体的には、加熱制御の１つである炊飯動作を実行させる炊飯スイッチ２８、および、他の加熱制御である保温動作を実行させる保温スイッチ２９が配設されている。また、炊飯条件や現在時刻などの設定スイッチである予約スイッチ３０、とりけしスイッチ３１、メニュースイッチ３２、▽スイッチ３３、△スイッチ３４が配設されている。
【００１９】
前記各負荷部品１４〜１７，１９は、炊飯器本体１２内に配設した制御基板３５に実装したマイコン３６により動作される。このマイコン３６には、図３に示すように、各負荷部品１４〜１７，１９を動作させて炊飯制御および保温制御を実行するための炊飯プログラム、この炊飯プログラムで使用する設定データ、および、出荷の際に設計通りの動作が行われるか否かを確認するための動作確認プログラムなどが予め記憶された書換不可能な第１記憶媒体であるＲＯＭ３７が内蔵されている。
【００２０】
また、マイコン３６には、誘導加熱コイル用スイッチング回路３８を介して前記誘導加熱コイル１４が接続されるとともに、ヒータ用スイッチング回路３９を介して前記蓋ヒータ１６が接続されている。即ち、本実施形態のマイコン３６を搭載した制御基板３５には、誘導加熱コイル１４の誘導加熱コイル用スイッチング回路３８であるＩＧＢＴを制御するための駆動用発振回路を実装する必要はない。さらに、マイコン３６には、前記温度センサ１５，１７と、液晶表示部１９、および、各スイッチ２８〜３４が接続されている。
【００２１】
そして、本実施形態では、前記マイコン３６には、書換可能な不揮発性のプログラマブルＲＯＭであり、複数のアドレスを備えた第２記憶媒体であるＥＥＰＲＯＭ４０が接続されている。このＥＥＰＲＯＭ４０には、各アドレスに前記ＲＯＭ３７に記憶された設定データに対応する補正データがそれぞれ記憶され、マイコン３６は、ＲＯＭ３７に記憶された設定データに、このＥＥＰＲＯＭ４０に記憶された補正データを加味して炊飯プログラムを実行する。
【００２２】
具体的には、前記ＥＥＰＲＯＭ４０には、図４に示すように、１６進数で表した００Ｈ〜１６Ｈの計２３個のアドレスを備え、その各アドレスを上位領域と下位領域の２つに区画し、計４６個の情報を記憶できる構成としている。そのうち、本実施形態では、０ＦＨアドレスの下位領域に、基準電力値Ｖｃｅを補正するための第１出力補正データが記憶されている。また、１０Ｈアドレスの上位領域に、基準電力値Ｖｃｅを補正するための第２出力補正データが記憶されている。さらに、本実施形態では、１６Ｈアドレスの上位領域に、前記第１出力補正データを変更する際の変更幅（分解能）を調整するための第１変更幅調整データが記憶されている。また、１６Ｈアドレスの下位領域に、前記第２出力補正データを変更する際の変更幅を調整するための第２変更幅調整データが記憶されている。
【００２３】
そして、本実施形態のマイコン３６は、商用電源に接続された際に前記操作パネル１８の所定のスイッチ２７，２９，３２が操作されると、動作確認プログラムであるＥＥＰＲＯＭ検査処理を実行する。また、スイッチ２７，２９が操作されると、前記ＥＥＰＲＯＭ検査処理で行うことができる１つの処理である。電力調整処理が直接実行される。即ち、この電力調整処理は、製品において非常に重要な部分であるため、所定のスイッチ２７，２９の操作により直接移行できるように構成されている。
【００２４】
具体的には、ＥＥＰＲＯＭ検査処理では、図５に示すように、液晶表示部１９の時計表示２０と、予約表示２７の「１」表示部２７ａと「２」表示部２７ｂとを用いて、アドレスの特定、および、設定状態を表示する。そして、メニュースイッチ３２を３秒以上長押しすることにより、そのアドレスの設定内容を変更できるように構成している。ここで、図５において、時計表示２０の左セグメント２０ａは、アドレスナンバーを意味し、「１」表示部２７ａが表示されると上位領域であることを意味し、「２」表示部２７ｂが表示されると下位領域であることを意味し、時計表示２０の右セグメント２０ｂは設定内容を意味する。
【００２５】
このＥＥＰＲＯＭ検査処理を実行した際の初期画面は表示状態（１−１）であり、００アドレスの上位領域の設定状態を意味する。そして、▽スイッチ３３が操作されると表示状態（１−２）に遷移し、００アドレスの下位領域の設定状態を表示する。一方、この状態で△スイッチ３４が操作されると、表示状態（１−１）に遷移する一方、▽スイッチ３３が操作されると、０１アドレスの上位領域の設定状態を意味する表示状態（１−３）を表示する。このようにして、▽スイッチ３３または△スイッチ３４を操作することにより、各アドレスの設定状態を確認する。なお、前記第１出力補正データが記憶された０ＦＨアドレスの下位領域は表示状態（１−４）であり、第２出力補正データが記憶された１０Ｈアドレスの上位領域は表示状態（１−５）である。なお、最も下層の１６Ｈアドレスの下位領域を示す表示状態（１−６）で、▽スイッチ３３が操作されると、最も上層の００アドレスの上位領域を示す表示状態（１−１）に遷移（戻る）する一方、表示状態（１−１）の表示状態で△スイッチ３４が操作されると、表示状態（１−６）に遷移する。
【００２６】
また、電源の投入時にスイッチ２７，２９が操作され、または、表示状態（１−４）でメニュースイッチ３２が長押しされ、ＥＥＰＲＯＭ検査処理の１つである電力調整処理が実行されると、マイコン３６は、ＲＯＭ３７に記憶された基準電力値に、ＥＥＰＲＯＭ４０に記憶された第１出力補正データおよび第２出力補正データを加味して実際の出力を行う。また、製品を検査する作業者は、この状態で従来と同様の専用電力測定器を用い、その実際の電力の測定値と予め設定された目標電力値とを比較して調整作業を行う。そして、マイコン３６は、前記液晶表示部１９の時計表示２０を用いて現状の設定状態を表示し、作業者による▽スイッチ３３および△スイッチ３４の操作に従って第１出力補正データおよび第２出力補正データを、個別に電子的な信号により所定の変更幅で段階的（１５段階）に変更する第１および第２出力変更手段を構成する。また、炊飯スイッチ２８の操作に従って前記第１出力補正データおよび第２出力補正データを変更する際の変更幅を段階的（８段階）に調整する変更幅調整手段を構成する。
【００２７】
具体的には、電力調整処理が実行されると、マイコン３６は、図６に示すように、電力調整画面を表示させる。ここで、この図７の時計表示２０において、黒塗り部分は点灯状態を示し、白抜き部分は点滅状態を示す。また、左セグメント２０ａは出力補正データの変更幅の設定状態を意味し、この左セグメント２０ａが点滅した状態で炊飯スイッチ２８を操作することにより変更できる。さらに、右セグメント２０ｂは、出力補正データの設定状態を示し、この右セグメント２０ｂが点滅した状態で▽スイッチ３３または△スイッチ３４を操作することにより変更できる。また。予約スイッチ３０により、設定を変更可能なデータを変更できるとともに、その設定状態を確定してＥＥＰＲＯＭ４０に更新記憶させることができる。
【００２８】
更に具体的には、この電力調整処理の初期画面は、表示状態（２−１）である。この状態で、炊飯スイッチ２８が操作されると表示状態（２−２）に遷移し、変更幅が小さくなるように設定を調節するとともに、その設定表示を減少する。また、表示状態（２−３）に示すように、左セグメント２０ａの設定表示が最も小さい０になった状態で炊飯スイッチ２８が操作されると、変更幅が最も大きい表示状態（２−１）と同一の表示状態（２−４）に遷移する（戻る）。
【００２９】
また、左セグメント２０ａ（変更幅）を変更可能な表示状態（２−１）から（２−４）のいずれかの状態で、予約スイッチ３０が操作されると、右セグメント２０ｂ（出力補正データ）が点滅した変更可能状態になる。例えば、表示状態（２−１）で予約スイッチ３０が操作されると、その設定状態をアドレス１６Ｈの上位領域に記憶するとともに、表示状態（２−５）に遷移し、アドレス０ＦＨの下位領域を変更可能な状態とする。
【００３０】
そして、▽スイッチ３３が操作されると表示状態（２−６）に遷移し、実際の出力を減少するように出力補正データを補正するとともに、その設定表示を減少する。また、表示状態（２−７）に示すように、右セグメント２０ｂの設定表示が最も小さい０になった状態で▽スイッチ３３が操作されると、出力補正設定が最も大きい表示状態（２−５）に遷移する（戻る）。逆に、△スイッチ３４が操作されると、実際の出力を増加するように出力補正データを補正するとともに、その設定表示を増加する。
【００３１】
次に、前記マイコン３６の動作について具体的に説明する。
【００３２】
まず、このマイコン３６は、組み立てによって図示しないバックアップ用の電池が装着されることで、このバックアップ電源からの３Ｖの電力により動作が開始されている。そして、図７に示すように、マイコン３６は、ステップＳ１で、５Ｖの電圧が印加されるか否かで図示しない電源コードが商用電源に接続された否かを検出する。そして、商用電源への接続を検出するまでステップＳ２のバックアップ処理を行い、商用電源への接続を検出すると、ステップＳ３に進む。
【００３３】
ステップＳ３では、その電源接続時にいずれかのスイッチ２８〜３４が操作されているか否かを検出する。そして、いずれかのスイッチ２８〜３４の操作を検出した場合にはステップＳ４に進み、いずれのスイッチ２８〜３４の操作も検出しない場合にはステップＳ８に進む。
【００３４】
ステップＳ４では、操作されたスイッチが保温スイッチ２９と予約スイッチ３０の２つか否かを検出する。そして、保温スイッチ２９と予約スイッチ３０の２つの場合にはステップＳ５に進み、電力調整処理を実行する。また、保温スイッチ２９と予約スイッチ３０の２つでない場合にはステップＳ６に進む。
【００３５】
ステップＳ６では、操作されたスイッチが保温スイッチ２９と予約スイッチ３０とメニュースイッチ３２の３つか否かを検出する。そして、保温スイッチ２９と予約スイッチ３０とメニュースイッチ３２の３つの場合にはステップＳ７に進み、ＥＥＰＲＯＭ検査処理を実行する。また、操作されたスイッチがこれらの２組以外である場合には、ステップＳ８に進む。
【００３６】
次に、ステップＳ５の電力調整処理について具体的に説明する。
【００３７】
この電力調整処理では、マイコン３６は、図８に示すように、まず、ステップＳ５−１で、ＲＯＭ３７に記憶された基準電力値と、ＥＥＰＲＯＭ４０に記憶された第１および第２出力補正データとを読み込み、その出力補正データを基準電力値に加味して誘導加熱コイル１４への通電を開始する。
【００３８】
また、ステップＳ５−２で、電力調整画面（図６の表示状態（２−１））を表示させる。ついで、マイコン３６は、ステップＳ５−３で、炊飯スイッチ２８が操作されたか否かを検出する。そして、炊飯スイッチ２８の操作を検出した場合にはステップＳ５−４に進み、点滅中の左セグメント２０ａの設定表示をデクリメント（例えば図６の表示状態（２−２））するとともに、第１出力補正データの変更幅を減少させてステップＳ５−５に進む。一方、炊飯スイッチの操作を検出しない場合にはそのままステップＳ５−５に進む。
【００３９】
ステップＳ５−５では、予約スイッチ３０が操作されたか否かを検出する。そして、予約スイッチ３０の操作を検出しない場合にはステップＳ５−６に進み、予約スイッチ３０の操作を検出した場合にはステップＳ５−７に進む。
【００４０】
ステップＳ５−６では、とりけしスイッチ３１が操作されたか否かを検出する。そして、とりけしスイッチ３１の操作を検出した場合には、この電力調整処理を終了し、とりけしスイッチ３１の操作を検出しない場合にはステップＳ５−３に戻る。
【００４１】
一方、ステップＳ５−７では、変更幅の設定変更をＥＥＰＲＯＭ４０のアドレス１６Ｈの上位領域に更新記憶した後、ステップＳ５−８で、右セグメント２０ｂを点滅させた第１出力補正データの変更画面（例えば図６の表示状態（２−５））を表示する。
【００４２】
ついで、ステップＳ５−９で、△スイッチ３４が操作されたか否かを検出する。そして、△スイッチ３４の操作を検出した場合にはステップＳ５−１０に進み、点滅中の右セグメント２０ｂの設定表示をイクリメントするとともに、第１出力補正データの変更幅を増加させてステップＳ５−１１に進む。一方、△スイッチ３４の操作を検出しない場合にはそのままステップＳ５−１１に進む。
【００４３】
ステップＳ５−１１では、▽スイッチ３３が操作されたか否かを検出する。そして、▽スイッチ３３の操作を検出した場合にはステップＳ５−１２に進み、点滅中の右セグメント２０ｂの設定表示をデクリメント（例えば図６の表示状態（２−６））するとともに、第１出力補正データを選択された変更幅に従って減少させてステップＳ５−１３に進む。一方、▽スイッチの操作を検出しない場合にはそのままステップＳ５−１３に進む。
【００４４】
ステップＳ５−１３では、予約スイッチ３０が操作されたか否かを検出する。そして、予約スイッチの操作を検出しない場合にはステップＳ５−１４に進み、予約スイッチ３０の操作を検出した場合にはステップＳ５−１５に進む。
【００４５】
ステップＳ５−１４では、とりけしスイッチ３１が操作されたか否かを検出する。そして、とりけしスイッチの操作を検出した場合には、この電力調整処理を終了し、とりけしスイッチ３１の操作を検出しない場合にはステップＳ５−９に戻る。
【００４６】
一方、ステップＳ５−１５では、第１出力補正データの設定変更をＥＥＰＲＯＭ４０のアドレス０ＦＨの下位領域に更新記憶した後、左セグメント２０ａを点滅させた変更幅の変更画面を表示するステップＳ５−２に戻る。
【００４７】
次に、ステップＳ７のＥＥＰＲＯＭ検査処理について具体的に説明する。
【００４８】
このＥＥＰＲＯＭ検査処理では、マイコン３６は、図９に示すように、まず、ステップＳ７−１で、アドレス００Ｈの上位アドレスの設定状態を表示（図５の表示状態（１−１））する。
【００４９】
ついで、ステップＳ７−２で、とりけしスイッチ３１が操作されたか否かを検出する。そして、とりけしスイッチ３１の操作を検出しない場合にはステップＳ７−３に進み、とりけしスイッチ３１の操作を検出した場合にはこのＥＥＰＲＯＭ検査処理を終了する。
【００５０】
ステップＳ７−３では、メニュースイッチ３２が長押しされたか否かを検出する。そして、メニュースイッチ３２の長押しを検出した場合にはステップＳ７−４に進み、その表示されたアドレスデータの変更処理を行う。一方、メニュースイッチ３２の長押しを検出しない場合にはステップＳ７−５に進む。
【００５１】
なお、ステップＳ７−４のアドレスデータ変更処理のうち、表示（指定）されているアドレスが０ＦＨの下位領域である場合には、図８と同一の第１出力補正データを変更することによる電力調整処理が実行される。また、表示されているアドレスが１０Ｈの上位領域である場合には、図８と同様にして第２出力補正データを変更することによる電力調整処理が実行される。さらに、他のアドレスが表示されている場合には、各アドレス毎に予め設定されている変更画面に遷移し、それぞれの設定を変更する。
【００５２】
一方、ステップＳ７−５では、△スイッチ３４が操作されたか否かを検出する。そして、△スイッチ３４の操作を検出した場合にはステップＳ７−６に進み、表示アドレスを上層アドレスにインクリメントしてステップＳ７−７に進む。一方、△スイッチ３４の操作を検出しない場合にはそのままステップＳ７−７に進む。
【００５３】
ステップＳ７−７では、▽スイッチ３３が操作されたか否かを検出する。そして、▽スイッチ３３の操作を検出した場合にはステップＳ７−８に進み、表示アドレスを下層アドレスにデクリメントしてステップＳ７−２に戻る。一方、▽スイッチ３３の操作を検出しない場合にはそのままステップＳ７−２に戻る。
【００５４】
このように、本実施形態の家庭用電気製品である炊飯器１０は、予め設定した基準電力値を変更するために、第１出力補正データおよび第２出力補正データを第２記憶媒体に記憶させるとともに、これらの出力補正データを段階的に変更する第１および第２出力可変手段を設けているため、基準電力値を変更可能な範囲を広げることが可能になる。そのため、実際の電力値を正確に目標電力値に設定することができる。また、各出力補正データの変更幅を調整する変更幅調整手段を設けているため、基準電力値を変更可能な範囲を更に広げることが可能になるうえ、微調整をも可能とすることができる。そのため、出荷時の検査工程において実際の電力値を迅速かつ正確に目標電力値に設定することができる。
【００５５】
なお、本発明の家庭用電気製品は、前記実施形態の構成に限定されるものではなく、種々の変更が可能である。
【００５６】
例えば、前記実施形態では、基準電力値を変更するために、第１および第２の出力補正データを第２記憶媒体であるＥＥＰＲＯＭ４０に書換可能に記憶させたが、３以上の出力補正データを書換可能に記憶させてもよい。また、前記実施形態では、各出力補正データを１５段階で変更可能としたが、その変更可能な段階数は希望に応じて変更可能である。
【００５７】
さらに、前記実施形態では、本発明の構成を適用する家庭用電気製品として炊飯器１０を用いたが、電気ポット、空気清浄機、浄水器、加湿器等の家庭用電気製品であればいずれでも適用可能であり、同様の作用および効果を得ることができる。
【図面の簡単な説明】
【００５８】
【図１】本発明の実施形態に係る家庭用電気製品である炊飯器を示す概略図である。
【図２】炊飯器の操作パネルを示す正面図である。
【図３】炊飯器の構成を示すブロック図である。
【図４】ＥＥＰＲＯＭに情報を記憶するアドレスを示す図表である。
【図５】設定状態を確認する際の液晶表示部の表示状態を示す概略図である。
【図６】電力調整処理の際の液晶表示部の表示状態を示す概略図である。
【図７】マイコンによる制御を示すフローチャートである。
【図８】図７の電力調整処理を示すフローチャートである。
【図９】図７のＥＥＰＲＯＭ検査処理を示すフローチャートである。
【符号の説明】
【００５９】
１０…炊飯器（家庭用電気製品）
１４〜１７…負荷部品
１８…操作パネル
１９…液晶表示部（表示手段）
２８〜３４…スイッチ（入力手段）
３６…マイコン
３７…ＲＯＭ（第１記憶媒体）
４０…ＥＥＰＲＯＭ（第２記憶媒体）
【図１】
2006181260.tif 000003
【図２】
2006181260.tif 000004
【図３】
2006181260.tif 000005
【図４】
2006181260.tif 000006
【図５】
2006181260.tif 000007
【図６】
2006181260.tif 000008
【図７】
2006181260.tif 000009
【図８】
2006181260.tif 000010
【図９】
2006181260.tif 000011